(57)【要約】【課題】視聴中のコンテンツを簡単な操作により回避し、さらに、そのコンテンツが終了したときに元の状態に確実に復帰する。【解決手段】放送受信端末装置１Ａは、コンテンツ終了検出部１８と音量調節部１９と音量調節部１９とを備え、さらに操作入力部１７Ａに視聴回避ボタンを備える。放送受信端末装置１ＡのＣＰＵ１５は、ユーザによる視聴回避ボタンの押下を操作入力部１７Ａにおいて検知すると、音量調節部１９により音声出力装置１１３の出力を予め設定された音量に下げる。それと共に、ＣＰＵ１５は、コンテンツ終了検出部１８により再生中のコンテンツの終了タイミングを監視する。そして、再生中のコンテンツの終了が検知されると、ＣＰＵ１５は、音声出力装置１１３の出力を元の音量に戻すものである。【選択図】図１
2006325104.tif 000002
【特許請求の範囲】
【請求項１】
番組を構成する複数のコンテンツを各コンテンツに関する番組情報と共に放送する放送システムに用いられる放送受信端末装置において、
前記放送によって提供される複数の番組から指定番組を選択し、選択された番組のコンテンツを前記番組情報をもとに再生する番組選択再生手段と、
前記番組の再生中のコンテンツに対する視聴回避要求を受け付ける回避要求受付手段と、
前記視聴回避要求の受け付けに応じて前記コンテンツの視聴を回避させる回避手段と、
前記視聴回避要求のあったコンテンツの再生終了タイミングを検出する終了検出手段と、
前記コンテンツの再生終了タイミングで前記番組の再生を視聴回避前の状態に復帰する復帰手段と
を具備することを特徴とする放送受信端末装置。
【請求項２】
前記回避手段は、前記視聴回避要求を受け付けたとき、前記要求のあったコンテンツの再生音量を小さくする音量調整手段を備え、
前記復帰手段は、前記コンテンツの再生終了タイミングで前記番組の再生音量を視聴回避前の音量に戻す音量復帰手段を備えることを特徴とする請求項１記載の放送受信端末装置。
【請求項３】
前記番組選択再生手段は、前記複数の番組を同時に選択し前記指定番組を再生する手段を備え、
前記回避手段は、前記視聴回避要求を受け付けたとき、前記番組選択再生手段に対して、再生中の番組を別途選択されている他の番組に切り替えて再生させる手段を備え、
前記復帰手段は、前記コンテンツの終了タイミングで再生中の番組を視聴回避前の番組に戻す手段を備えることを特徴とする請求項１記載の放送受信端末装置。
【請求項４】
前記終了検出手段は、前記コンテンツの再生終了タイミングを前記番組情報から読み取る手段と、前記再生終了タイミングの到来を通知する手段とを備え、
前記復帰手段は、前記再生終了タイミングの通知に応じて前記番組の再生を視聴回避前の状態に復帰することを特徴とする請求項１記載の放送受信端末装置。
【請求項５】
複数のコンテンツから構成される番組を選択的に受信し再生する放送受信端末装置で用いられる視聴回避方法であって、
前記番組の再生中のコンテンツに対する視聴回避要求を受け付ける回避要求受付過程と、
前記視聴回避要求の受け付けに応じて前記コンテンツの視聴を回避させる回避過程と、
前記視聴回避要求のあったコンテンツの再生終了タイミングを検出する終了検出過程と、
前記コンテンツの再生終了タイミングで前記番組の再生を視聴回避前の状態に復帰する復帰過程と
を具備することを特徴とする視聴回避方法。
【発明の詳細な説明】
【技術分野】
【０００１】
この発明は、例えば、衛星放送や地上放送により提供される番組を選択して受信する放送受信端末装置及び視聴回避方法に関する。
【背景技術】
【０００２】
従来より、衛星放送または地上放送における放送システムでは、複数チャンネルで多種多様な番組を放送しており、視聴者は放送受信端末装置にチャンネルを指定することで、希望する番組を再生させ、視聴している。例えば、音楽・音声番組であれば、邦楽、洋楽等の様々な楽曲の他にも、ニュースや英会話等の情報ジャンルも提供されている。
【０００３】
このような番組情報は、ジャンル別に各チャンネルの番組配列が提示された電子番組ガイド（ＥＰＧ：Electronic Program Guide）により提供されており、放送受信端末装置では、ＥＰＧを入力して、視聴者がＥＰＧから希望する番組を指定する。
【０００４】
ところで、衛星放送及び地上放送では、デジタル放送化に伴って番組数が多くなり、ユーザが希望する番組の取捨選択が困難になることが予想される。また、希望する番組が重なる場合も予想される。そこで、ユーザがある番組の視聴中に他のチャンネルに切り替えた場合でも、ユーザから予め指定された時間後に元のチャンネルに自動的に復帰する選局装置が提案されている（例えば、特許文献１又は２を参照。）。
【特許文献１】特開２００４−０８０６５５号公報
【特許文献２】特開２００２−３４４８３０号公報
【発明の開示】
【発明が解決しようとする課題】
【０００５】
ところが、上記従来の選局装置であると、ユーザが復帰するまでの時間を推定して設定する必要がある。例えば、ユーザがコマーシャル中に他の番組を視聴しようとする場合に、設定時間がコマーシャル時間より短い場合には、コマーシャル中に元の番組に復帰してしまい、コマーシャルが終わるまで待つか、再度復帰するまでの時間を設定しなければならず、操作に手間がかかる。
【０００６】
この発明は上記事情に着目してなされたもので、その目的とするところは、視聴中のコンテンツを簡単な操作により回避し、さらに、そのコンテンツが終了したときに元の状態に確実に復帰する放送受信端末装置及び視聴回避方法を提供することにある。
【課題を解決するための手段】
【０００７】
上記目的を達成するためにこの発明に係わる放送受信端末装置は、番組を構成する複数のコンテンツを各コンテンツに関する番組情報と共に放送する放送システムに用いられる放送受信端末装置において、上記放送によって提供される複数の番組から指定番組を選択し、選択された番組のコンテンツを上記番組情報をもとに再生する番組選択再生手段と、上記番組の再生中のコンテンツに対する視聴回避要求を受け付ける回避要求受付手段とを備える。そして、上記視聴回避要求の受け付けに応じて上記コンテンツの視聴を回避させる回避手段と、上記視聴回避要求のあったコンテンツの再生終了タイミングを検出する終了検出手段とを備え、上記検出されたコンテンツの再生終了タイミングで上記番組の再生を視聴回避前の状態に復帰するものである。
【０００８】
また、この発明に係わる視聴回避方法は、複数のコンテンツから構成される番組を選択的に受信し再生する放送受信端末装置で用いられる視聴回避方法であって、上記番組の再生中のコンテンツに対する視聴回避要求を受け付ける回避要求受付過程と、上記視聴回避要求の受け付けに応じて上記コンテンツの視聴を回避させる回避過程とを備える。さらに、上記視聴回避要求のあったコンテンツの再生終了タイミングを検出する終了検出過程を備え、上記検出されたコンテンツの再生終了タイミングで上記番組の再生を視聴回避前の状態に復帰するようにしたものである。
【０００９】
したがって、この発明の放送受信端末装置及び視聴回避方法によれば、番組視聴中のコンテンツに対して視聴回避を要求すると、再生中のコンテンツの視聴が回避される。さらに、視聴が回避されたコンテンツの再生が終了すると、視聴回避前の状態で番組を視聴することができる。これにより、例えば、番組視聴中に視聴者の好みでないコンテンツが再生された場合に、簡単な操作により当該コンテンツのみを視聴回避し、その後のコンテンツは視聴回避前の状態に復帰して番組を視聴することが可能となる。
【発明の効果】
【００１０】
すなわちこの発明によれば、視聴中のコンテンツを簡単な操作により回避し、さらに、そのコンテンツが終了したときに元の状態に確実に復帰する放送受信端末装置及び視聴回避方法を提供することができる。
【発明を実施するための最良の形態】
【００１１】
（第１の実施形態）  
図１は、この発明の第１の実施形態に係わる放送受信端末装置の機能構成を示すブロック図である。  
放送受信端末装置１Ａは、携帯型や車載型などのデジタル放送受信機で構成される。放送受信端末装置１Ａは、アンテナ１１により、放送衛星等からの放送信号を受信し、受信した信号をチューナ１２において周波数変換したのち、ＣＤＭ（Code Division Multiplex）復調部１３により復調処理を行い、パケットデータを抽出する。このパケットデータは、デコーダ部１４において、各番組のコンテンツ（映像、音声、データ等）や番組情報（ＥＰＧ）に復号される。
【００１２】
放送受信端末装置１Ａは、制御装置（ＣＰＵ：Central Processing Unit）１５を備え、このＣＰＵ１５にバス１６を介して、上記デコーダ部１４とコンテンツ格納部１１０と番組情報格納部１１１が接続される。上記デコーダ部１４により復号されたコンテンツは、コンテンツ格納部１１０に、復号された番組情報は番組情報格納部１１１にそれぞれ格納される。
【００１３】
さらにＣＰＵ１５には、液晶表示器（ＬＣＤ）等の表示装置１１２とスピーカ等の音声出力装置１１３と操作入力部１７Ａとが接続される。ＣＰＵ１５は、コンテンツ格納部１１０から読み出した映像やデータを表示装置１１２に表示したり、読み出した音声を音声出力装置１１３から出力したりする。操作入力部１７Ａは、リモートコントローラや操作パネル等で構成され、視聴回避ボタンを備える。この視聴回避ボタンがユーザから押下されると、ＣＰＵ１５は、再生中のコンテンツの視聴を回避させる。例えば、映像・音声番組の場合は、音量を小さくするようにする。
【００１４】
また、放送受信端末装置１Ａは、この発明を実現するための各種処理部として、コンテンツ終了検出部１８と、音量調整部１９とを備える。コンテンツ終了検出部１８は、再生中のコンテンツの終了タイミングを検出する。例えば、音声番組の場合、コンテンツと共に、プレイリストデータ（楽曲の開始時刻、曲名、及びアーティスト名など）を受信することができる。このプレイリストデータの内容をもとに再生中のコンテンツの終了を検出する。音量調整部１９は、ＣＰＵ１５制御の下、音声出力装置１１３に対して出力音量の調整を行う。
【００１５】
以上のように構成された放送受信端末装置１Ａの動作について説明する。図２は、放送受信端末装置１Ａの動作手順とその内容を示すフローチャートである。  
ステップＳ２ａにおいて、放送受信端末装置１Ａは、通常視聴状態であり、ユーザにより指定された番組のコンテンツを再生している。また、ステップＳ２ｂにおいて、放送受信端末装置１ＡのＣＰＵ１５は、操作入力部１７Ａにより視聴回避ボタンを押下されたか否かを監視している。この状態で、ユーザは、例えば再生中のコンテンツが好みでない場合に、視聴回避ボタンを押下する。ＣＰＵ１５は、ステップＳ２ｂにおいて、操作入力部１７Ａから視聴回避ボタンの押下を検知すると、視聴回避状態となる。すなわち、ステップＳ２ｃに移行して、ＣＰＵ１５の制御の下、音量調整部１９は、音声出力装置１１３の出力を予め設定された音量に下げる。
【００１６】
次に、ステップＳ２ｄにおいて、放送受信端末装置１ＡのＣＰＵ１５は、コンテンツ終了検出部１８により上記再生中のコンテンツの終了タイミングを監視する。ステップＳ２ｄにおいて、終了タイミングが検出された場合には、ステップＳ２ｆに移行して、音量調整部１９により音声出力装置１１３からの出力音量を元の状態に戻す。そして、ステップＳ２ａに移行し、次のコンテンツは、元の出力音量による視聴状態となる。
【００１７】
一方、ステップＳ２ｄにおいて、終了タイミングが検出されない場合には、ステップＳ２ｅに移行して、当該視聴回避がリセットされたか否かを判定する。このリセット操作は、例えば、上記視聴回避ボタンを再度押下することにより行われる。また、その他にも、操作入力部１７Ａにリセットボタンを設けるようにしても良い。ステップＳ２ｅにおいて、放送受信端末装置１ＡのＣＰＵ１５は、リセット操作を検知すると、ステップＳ２ｆに移行して、上述したように、音声出力装置１１３からの出力音量を元の状態に戻す。
【００１８】
以上述べたように、第１の実施形態では、放送受信端末装置１Ａは、コンテンツ終了検出部１８と音量調節部１９と音量調節部１９とを備え、さらに操作入力部１７Ａに視聴回避ボタンを備える。放送受信端末装置１ＡのＣＰＵ１５は、ユーザによる視聴回避ボタンの押下を操作入力部１７Ａにおいて検知すると、音量調節部１９により音声出力装置１１３の出力を予め設定された音量に下げる。それと共に、ＣＰＵ１５は、コンテンツ終了検出部１８により再生中のコンテンツの終了タイミングを監視する。そして、再生中のコンテンツの終了が検知されると、ＣＰＵ１５は、音声出力装置１１３の出力を元の音量に戻すものである。
【００１９】
したがって、上記第１の実施形態によれば、視聴回避ボタンを押下するだけで視聴中のコンテンツの音量が小さくなり、視聴回避コンテンツの終了後には、元の音量に戻る。よって、視聴中のコンテンツを簡単な操作により回避し、さらに、そのコンテンツが終了したときに元の状態に確実に復帰することが可能となる。
【００２０】
また、視聴回避コンテンツに映像が含まれる場合には、音声出力装置１１３に対する音量調整だけでなく、スクリーンセーバ機能のように予め設定された他の画像を表示装置１１２に表示するようにしてもよい。このようにすると、音声だけでなく、画像についても回避することが可能となる。
【００２１】
（第２の実施形態）  
図３は、この発明の第２の実施形態に係わる放送受信端末装置の機能構成を示すブロック図である。なお、同図において、前記図１と同一部分には同一符号を付し、詳しい説明は省略する。  
放送受信端末装置１Ｂは、２組のＣＤＭ復調部１３，１３Ｂと、デコーダ部１４，１４Ｂとを備える。つまり、１つの周波数帯域から２つの番組を選択して同時に復調する機能を有する。アンテナ１１により、放送衛星等からの放送信号を受信し、受信した信号をチューナ１２において周波数変換したのち、ＣＤＭ復調部１３及び１３Ｂによりそれぞれ復調処理を行い、パケットデータを抽出する。ＣＤＭ復調部１３により抽出されたパケットデータはデコーダ部１４に、ＣＤＭ復調部１３Ｂにより抽出されたパケットデータはデコーダ部１４Ｂにおいて、各番組のコンテンツ（映像、音声、データ等）や番組情報（ＥＰＧ）にそれぞれ復号される。
【００２２】
また、放送受信端末装置１Ｂの操作入力部１７Ｂには、視聴回避ボタンに加え、番組選択ボタンが設けられる。この番組選択ボタンは、通常視聴中であれば、再生中の番組を選択された番組に変更する。一方、視聴回避ボタンの押下後（例えば、５秒以内）に番組選択ボタンが押下された場合は、視聴回避状態となり、視聴回避状態を脱するまで選択された番組が再生される。さらに、放送受信端末装置１Ｂは、番組選択部１１４を備え、ＣＤＭ復調部１３，１３Ｂは、ＣＰＵ１５の制御の下、この番組選択部１１４により指定された番組のパケットデータをそれぞれ抽出する。
【００２３】
次に、以上のように構成された放送受信端末装置１Ｂの動作について説明する。図４は、放送受信端末装置１Ｂの動作手順とその内容を示すフローチャートである。  
ステップＳ４ａにおいて、放送受信端末装置１Ｂは、通常視聴状態であり、ユーザにより指定された番組のコンテンツをＣＤＭ復調部１３及びデコーダ部１４を介して取得し再生している。また、ステップＳ４ｂにおいて、放送受信端末装置１ＢのＣＰＵ１５は、操作入力部１７Ｂにより視聴回避ボタンを押下されたか否かを監視している。この状態で、ＣＰＵ１５は、ステップＳ４ｂにおいて、操作入力部１７Ｂから視聴回避ボタンの押下を検知すると、ステップＳ４ｃに移行して、所定時間内（例えば視聴回避ボタンの押下から５秒以内）に、番組選択ボタンが押下されるか否かを監視する。
【００２４】
ステップＳ４ｃにおいて、放送受信端末装置１ＢのＣＰＵ１５は、番組選択ボタンの押下を検出すると、視聴回避状態となる。すなわち、ステップＳ４ｄにおいて、ＣＰＵ１５は、選択された番組を復調するように番組選択部１１４によりＣＤＭ復調部１３Ｂに指定する。ＣＤＭ復調部１３Ｂから抽出されたパケットデータはデコーダ部１４Ｂにおいて復号されコンテンツ格納部１１０に格納される。そして、ＣＰＵ１５は、コンテンツ格納部１１０から上記選択された番組のコンテンツを読み出して表示装置１１２又は音声出力装置１１３に出力する。
【００２５】
そして、ステップＳ４ｅにおいて、放送受信端末装置１ＢのＣＰＵ１５は、コンテンツ終了検出部１８により視聴回避されたコンテンツの終了タイミングを検出する。この場合、視聴回避されたコンテンツは、ＣＤＭ復調部１４において復調され続けているため、ＣＰＵ１５は、上記第１の実施形態と同様に、コンテンツ格納部１１０に格納されるコンテンツの状態から当該コンテンツの終了タイミングを検出する。ステップＳ４ｅにおいて、終了タイミングが検出されると、ＣＰＵ１５の制御の下、番組選択部１１４は、ＣＤＭ復調部１４において復調される元の番組をコンテンツ格納部１１０から読み出して表示装置１１２又は音声出力装置１１３に出力する。
【００２６】
一方、ステップＳ４ｅにおいて、コンテンツ終了検出部１８において視聴回避中のコンテンツの終了が検出されない場合には、上記第１の実施形態と同様に、ステップＳ４ｆにおいて、ＣＰＵ１５は、リセット操作がされたか否かを監視する。ステップＳ４ｆにおいて、リセット操作が検出された場合には、ステップＳ４ｇに移行して、ＣＰＵ１５は、視聴回避動作を解除し、ＣＰＵ１５の制御の下、番組選択部１１４は、ＣＤＭ復調部１４において復調される元の番組をコンテンツ格納部１１０から読み出して表示装置１１２又は音声出力装置１１３に出力する。
【００２７】
このように、第２の実施形態によれば、視聴回避中は、他の番組を視聴することが可能である。例えば、好みでない番組が終了するまで、ニュース等の番組を視聴することができる。このように構成しても、上記第１の実施形態と同様に、よって、視聴中のコンテンツを簡単な操作により回避し、さらに、そのコンテンツが終了したときに元の状態に確実に復帰することが可能となる。
【００２８】
また、上記第２の実施形態において、視聴回避ボタンを押下後、所定時間内に番組選択ボタンを押下した場合に視聴回避状態になるように構成したが、視聴回避ボタンを押下しただけで、他の番組（例えば、次のチャンネルの番組）を再生するように構成することもできる。このようにすると、１度の操作で瞬時に再生中のコンテンツを視聴回避することができる。
【００２９】
（第３の実施形態）  
図５は、この発明の第３の実施形態に係わる放送受信端末装置の機能構成を示すブロック図である。なお、同図において、前記図１及び図３と同一部分には同一符号を付し、詳しい説明は省略する。  
放送受信端末装置１Ｃは、タイマ１１５を備え、ＣＰＵ１５は、このタイマ１１５に対し、視聴を回避するコンテンツの終了タイミングを設定する。終了タイミングは、番組情報格納部１１１に格納される番組情報をもとに算出される。また、タイマ１１５は、設定された終了タイミングに達すると、その旨をシグナル等によりＣＰＵ１５に通知する。
【００３０】
以上のように構成された放送受信端末装置１Ｃの動作について説明する。図６は、放送受信端末装置１Ｃの動作手順とその内容を示すフローチャートである。  
上記第２の実施形態と同様に、ステップＳ６ａにおいて、放送受信端末装置１Ｃは、通常視聴状態であり、ユーザにより指定された番組のコンテンツをＣＤＭ復調部１３及びデコーダ部１４を介して取得し再生している。また、ステップＳ６ｂにおいて、放送受信端末装置１ＣのＣＰＵ１５は、操作入力部１７Ｂにより視聴回避ボタンを押下されたか否かを監視している。この状態で、ＣＰＵ１５は、ステップＳ６ｂにおいて、操作入力部１７Ｃから視聴回避ボタンの押下を検知すると、ステップＳ６ｃに移行して、所定時間内に番組選択ボタンが押下されるか否かを監視する。
【００３１】
ステップＳ６ｃにおいて、放送受信端末装置１ＣのＣＰＵ１５は、番組選択ボタンの押下を検出すると、視聴回避状態となる。そして、ＣＰＵ１５は、ステップＳ６ｄにおいて、番組情報格納部１１１から例えば、視聴回避コンテンツの終了時刻を読み出して、タイマ１１５は読み出された終了タイミングを設定し、カウントを開始する。それと共に、ステップＳ６ｅにおいて、ＣＰＵ１５制御の下、番組選択部１１４により、ＣＤＭ復調部１３に対し、上記選択された番組を復調するように指定する。これにより、ＣＰＵ１５は、コンテンツ格納部１１０から選択された番組のコンテンツを読み出して表示装置１１２又は音声出力装置１１３に出力する。
【００３２】
そして、ステップＳ６ｆにおいて、放送受信端末装置１ＣのＣＰＵ１５は、タイマ１１５が終了タイミングを通知するシグナルを受信したか否かを監視する。ステップＳ６ｆにおいて、タイマ１１５からタイマ終了が通知されると、ステップＳ６ｈに移行し、ＣＰＵ１５の制御の下、番組選択部１１４は、ＣＤＭ復調部１４に対して元の番組を復調するように指定する。そして、放送受信端末装置１ＣのＣＰＵ１５は、復調される元の番組をコンテンツ格納部１１０から読み出して表示装置１１２又は音声出力装置１１３に出力する。
【００３３】
一方、ステップＳ６ｆにおいて、タイマ１１５からタイマ終了が通知されない場合は、上記第２の実施形態と同様に、ステップＳ６ｇにおいて、ＣＰＵ１５は、リセット操作がされたか否かを監視する。ステップＳ６ｇにおいて、リセット操作が検出された場合には、ステップＳ６ｈに移行して、ＣＰＵ１５は、視聴回避動作を解除し、ＣＰＵ１５の制御の下、番組選択部１１４は、ＣＤＭ復調部１４に対して元の番組を復調するように指定する。そして、放送受信端末装置１ＣのＣＰＵ１５は、復調される元の番組をコンテンツ格納部１１０から読み出して表示装置１１２又は音声出力装置１１３に出力する。
【００３４】
このように、第３の実施形態によれば、上記第２の実施形態と同様に、視聴回避中に、他の番組を視聴していても、視聴回避コンテンツが終了すると確実に元の番組に復帰する。また、第２の実施形態と比較すると、タイマ１１５を用いて視聴回避コンテンツの終了を検知することで、簡易な構成により実現することができる。
【００３５】
なお、この発明は、上記各実施形態に限定されるものではない。第１及び第２の実施形態におけるコンテンツの終了検出は、放送事業者側でコンテンツの終了判別用の信号を付加したコンテンツを送信し、放送受信端末装置は、この信号によりコンテンツの終了を検出するようにしてもよい。例えば、コンテンツの終了時に数秒間だけ全面黒色の画面を挿入することで実現できる。また、放送事業者側からコンテンツの終了までの残り時間を数値で送信してもらうようにしてもよい。この場合、コンテンツの終了時刻ではなく、再生準備等の時間を考慮して、例えば、コンテンツ終了の２秒前の時刻を通知するようにしてもよい。
【００３６】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３７】
【図１】この発明の第１の実施形態に係わる放送受信端末装置の機能構成を示すブロック図。
【図２】図１に示す放送受信端末装置の動作手順とその内容を示すフローチャート。
【図３】この発明の第２の実施形態に係わる放送受信端末装置の機能構成を示すブロック図。
【図４】図３に示す放送受信端末装置の動作手順とその内容を示すフローチャート。
【図５】この発明の第３の実施形態に係わる放送受信端末装置の機能構成を示すブロック図。
【図６】図５に示す放送受信端末装置の動作手順とその内容を示すフローチャート。
【符号の説明】
【００３８】
１Ａ，１Ｂ，１Ｃ…放送受信端末装置、１１…アンテナ、１２…チューナ、１３，１３Ｂ…ＣＤＭ復調部、１４，１４Ｂ…デコーダ部、１５…ＣＰＵ、１６…バス、１７，１７Ｂ…操作入力部、１８…コンテンツ終了検出部、１９…音量調整部、１１０…コンテンツ格納部、１１１…番組情報格納部、１１２…表示装置、１１３…音声出力装置、１１４…番組選択部、１１５…タイマ。
【図１】
2006325104.tif 000003
【図２】
2006325104.tif 000004
【図３】
2006325104.tif 000005
【図４】
2006325104.tif 000006
【図５】
2006325104.tif 000007
【図６】
2006325104.tif 000008